(57)【特許請求の範囲】
【請求項１】
構造物の外側に配置されるコーナーパネルは両端部に上下方向の凹溝を有し、前記構造物側に支持される結合部材の両側縁は、前記コーナーパネルの凹溝に係合自在な係止部に形成され、前記結合部材の中央部分に螺合して貫通するボルトの遊端を前記コーナーパネルの内側コーナー部に当接させたことを特徴とするコーナーパネルの取付け構造。
【請求項２】
結合部材は、その中央部分から構造物側に直角状に伸びる連結部を有し、この連結部を介して構造物側に着脱自在に連結したことを特徴とする請求項１記載のコーナーパネルの取付け構造。
【請求項３】
結合部材の中央部分は扁平状で、コーナーパネルの内面とにより三角形状を形成したことを特徴とする請求項１または２記載のコーナーパネルの取付け構造。
【請求項４】
結合部材の中央部分が、コーナーパネルの内面に沿った形状であることを特徴とする請求項１または２記載のコーナーパネルの取付け構造。
【請求項５】
結合部材は、その中央部分からコーナーパネル側に直角状に伸びる受け部を有し、この受け部に対してコーナーパネルを載置自在に構成したことを特徴とする請求項１記載のコーナーパネルの取付け構造。
【発明の詳細な説明】
【０００１】
【発明の属する技術分野】
本発明は、鉄骨造りの張壁に関する施工技術分野に属するコーナーパネルの取付け構造に関するものである。
【０００２】
【従来の技術】
従来、たとえば図１４に示すように、構造物を形成する柱９０にコーナーパネル９１を取付ける場合、まずセメント製のコーナーパネル９１の内側コーナー部からコーナーパネル９１に形成された上下方向の中空部９２に亘って貫通孔９３が形成される。そしてボルト体９４の折り曲げ頭部９４Ａに対して対称状に、鉄筋などの溶接による継ぎ足し頭部９４Ｂが設けられ、これら頭部９４Ａ，９４Ｂが柱９０のコーナー部に外側から当接されたのち溶接で固定される。
【０００３】
またボルト体９４は、ナット体９５が螺合されるとともに外部金物９６が外嵌された状態で、前記貫通孔９３に挿通されている。さらにボルト体９４には、中空部９２に位置された内部金物９７が、この内部金物９７と一体のナット体９８が螺合されることで外嵌されている。
【０００４】
この従来構成によると、ナット体９５を充分に緩め、中空部９２内での操作により内部金物９７を所定の位置にした状態で、頭部９４Ａ，９４Ｂを柱９０に溶接により固定させたのち、ナット体９５を螺合操作することで、ボルト体９４などを介して、柱９０に対しコーナーパネル９１を固定し得る。
【０００５】
【発明が解決しようとする課題】
しかし、上記した従来構成によると、貫通孔９３を形成するための孔明け作業を必要とし、また孔明け作業の際に断面欠損（明けすぎや欠けなど）を生じてコーナーパネル９１の強度を損なう可能性がある。そして頭部９４Ａ，９４Ｂを柱９０に固定させることで一度設定したコーナーパネル９１の高さは、その高さ方向の調整（レベル調整）が難しく、貫通孔９３を明け直すなど面倒な作業を必要とする。
【０００６】
さらにボルト体９４における両頭部９４Ａ，９４Ｂの、柱９０の直交する二面に対する取付け精度が必要であるが、調整代が全くないため面精度が出ない、コーナーパネル９１側の自重受け機能がないために自重受けを別途に設けなければならない、などの問題がある。
【０００７】
そこで本発明のうち請求項１記載の発明は、構造物側に対してコーナーパネルを精度よく、簡単にかつ強度上で問題なく取付け得るコーナーパネルの取付け構造を提供することを目的としたものである。
【０００８】
また請求項２記載の発明は、コーナーパネルの出入り調整を容易に行えるコーナーパネルの取付け構造を提供することを目的としたものである。
また請求項５記載の発明は、自重受け機能を持たせ得たコーナーパネルの取付け構造を提供することを目的としたものである。
【０００９】
【課題を解決するための手段】
前述した目的を達成するために、本発明のうちで請求項１記載のコーナーパネルの取付け構造は、構造物の外側に配置されるコーナーパネルは両端部に上下方向の凹溝を有し、前記構造物側に支持される結合部材の両側縁は、前記コーナーパネルの凹溝に係合自在な係止部に形成され、前記結合部材の中央部分に螺合して貫通するボルトの遊端を前記コーナーパネルの内側コーナー部に当接させたことを特徴としたものである。
【００１０】
したがって請求項１の発明によると、コーナーパネルの取付けを行うに、まず、結合部材の係止部を凹溝に対して係止させたのちボルトのねじ込みを行って、コーナーパネルから結合部材がずれない程度に仮締めを行う。次いでボルトの螺合操作を行って、その遊端を次第に突出させ、コーナーパネルの内側コーナー部に当接させる。これによりコーナーパネルを、ねじ込み力によって結合部材から離れる方向に移動させて、凹溝の部分に係止部を強く係止し得、以てコーナーパネルを、結合部材を介して構造物側に強固に固定し得る。
【００１１】
また本発明の請求項２記載のコーナーパネルの取付け構造は、上記した請求項１記載の構成において、結合部材は、その中央部分から構造物側に直角状に伸びる連結部を有し、この連結部を介して構造物側に着脱自在に連結したことを特徴としたものである。
【００１２】
したがって請求項２の発明によると、コーナーパネルから結合部材がずれない程度に仮締めを行ったのち、コーナーパネルをコーナー部分に外側から建込み、そして結合部材の連結部を構造物側に支持させたのち、ボルトの螺合操作によりコーナーパネルに結合部材側を強く係止させる。次に、結合部材の連結部と構造物に連結具を作用させて仮固定を行う。そして、コーナーパネルの出入り調整を行ったのち、連結具を作用して結合部材を構造物側に強く固定させることで、コーナーパネルを、結合部材を介して構造物側に強固に固定し得る。
【００１３】
そして本発明の請求項３記載のコーナーパネルの取付け構造は、上記した請求項１または２記載の構成において、結合部材の中央部分は扁平状で、コーナーパネルの内面とにより三角形状を形成したことを特徴としたものである。
【００１４】
さらに本発明の請求項４記載のコーナーパネルの取付け構造は、上記した請求項１または２記載の構成において、結合部材の中央部分が、コーナーパネルの内面に沿った形状であることを特徴としたものである。
【００１５】
したがって請求項４の発明によると、コーナーパネルの内面と中央部分と構造物の外面とを、全て平面視で類似状に形成し得、以てコーナーパネルと構造物との間のクリアランスが充分にないときでも所期の配置を行える。
【００１６】
しかも本発明の請求項５記載のコーナーパネルの取付け構造は、上記した請求項１または２記載の構成において、結合部材は、その中央部分からコーナーパネル側に直角状に伸びる受け部を有し、この受け部に対してコーナーパネルを載置自在に構成したことを特徴としたものである。
【００１７】
したがって請求項５の発明によると、コーナーパネル側の自重を、受け部を介して結合部材側で支持し得、さらに結合部材を介して構造物側で支持し得ることになる。
【００１８】
【発明の実施の形態】
以下に、本発明の第一の実施の形態を、自動倉庫設備の囲壁体に採用した状態として図１〜図７に基づいて説明する。
【００１９】
図６、図７は完成された自動倉庫設備１を示し、この自動倉庫設備１は、基礎部（床側）２上に設けられた自動倉庫５と、この自動倉庫５を囲む建物２０とにより構成される。そして自動倉庫５は、出し入れ装置１０と、この出し入れ装置１０の走行経路１１を挟んで両側部に設けられた一対の棚６などにより構成され、また建物２０は、自動倉庫５の外側を囲む囲壁体２２と、自動倉庫５から囲壁体２２の上部間に配設される屋根体２１などにより構成される。
【００２０】
前記出し入れ装置１０は、基礎部２上に敷設された床側レール１２に支持案内されかつ天井側レール１３に案内されて走行経路１１上を走行自在であって、下部の走行機体１４と、この走行機体１４から立設された前後一対のポスト１５と、両ポスト１５間に配設されたキャレッジ１６と、このキャレッジ１６上に横方向出退自在に設けられた出し入れ具（フオーク）１７などにより構成されている。
【００２１】
前記棚６には、走行経路１１に沿った方向と上下方向とにそれぞれ複数の収納部７が形成されている。各収納部７は、一対の腕木装置８などを介して荷物１８を支持すべく構成されている。そして両棚６の構成部材である支柱９の上端間で前記屋根体２１の支持が行われる。
【００２２】
前記囲壁体２２は、自動倉庫５を囲んで基礎部２上から立設された囲壁用枠体（構造物の一例）３０と、この囲壁用枠体３０の外面側で下部から上端部に亘って取り付けられた外壁部パネル体２５と、前記囲壁用枠体３０の外面側で下端部に取り付けられたセメント製の下端部パネル体（腰壁）４０などにより構成される。
【００２３】
前記囲壁用枠体３０は図１〜図５に示すように、開放部３１Ａを相対向させた左右一対のリップ溝形材３１が上下方向に設けられ、これらリップ溝形材３１の下端は、ボルトナットなどからなる固定具３２を介して基礎部２側に固定されている。このような左右一対が一組となるリップ溝形材３１は、非開放部３１Ｂを相近接させて複数組が配設される。
【００２４】
そして、リップ溝形材３１の上下方向の複数箇所でかつ所定箇所には、相対向側へ突出するブラケット３３が設けられる。このブラケット３３は断面がＬ形状であって、そのＬ形端面をリップ溝形材３１内に位置させて溶接することで一体化されている。その際にブラケット３３は、その平面部分が上方と前方とに向くように配置され、さらに外側フランジ部３１Ｃに接近させて、内側フランジ部３１Ｄの周辺を開放させている。また前方に向く面側には貫通孔が左右一対に形成されている。
【００２５】
コーナーを介して隣接された一対のリップ溝形材３１の下部間でかつ上下の二箇所（複数箇所）には、コーナーに沿った形状である平面視でＬ字状の連結材３４が設けられる。この連結材３４は断面がＬ形状であって、その縦辺部が外側フランジ部３１Ｃに外側から当接されて連結具（ボルトナット）３５により固定されており、そして横辺部が前方へ突出されている。さらに連結材３４が作用しない残りのリップ溝形材３１には、その外側フランジ部３１Ｃに外側から当接されて連結具３６により固定される係止体３７が設けられる。この係止体３７はＣ形状であって、その開放部をコーナーとは反対側に向けて、固定されている。
【００２６】
前記外壁部パネル体２５には、その両側部に上下方向の係止ロッド２６が通され、そして上下方向の中間部には、前記係止ロッド２６が挿通されるナット体２７が設けられている。このナット体２７は丸ナット形式であって、外壁部パネル体２５の内面側に向けて開放されている。
【００２７】
前記外壁部パネル体２５を囲壁用枠体３０側に固定させるために、この外壁部パネル体２５に後面側から作用する固定用装置６０が、リップ溝形材側３１に対して着脱自在に設けられる。すなわち固定用装置６０は、前記ブラケット３３に着脱自在でかつ前記外壁部パネル体２５の下面が当接自在な受け部材６１と、前記外壁部パネル体２５に設けたナット体２７に作用されかつリップ溝形材３１側に着脱自在に作用される連結部材６３などにより構成される。
【００２８】
前記受け部材６１はＬ形材であって、その一辺に形成された貫通孔を前記ブラケット３３に形成された貫通孔に合致させたのち、貫通孔間に連結具６２を作用させることで、リップ溝形材３１側に着脱自在に構成される。その際に他辺は上位で前方に位置され、以てこの他辺により外壁部パネル体２５の下面を受け止め得る。
【００２９】
また連結部材６３はＺ形の板体からなり、その一辺には、前記リップ溝形材３１の外側フランジ部３１Ｃに内側から係合自在な係合部６４が設けられ、また他辺には貫通孔が形成されている。そしてナット体２７に貫通孔を合致させた状態で、この貫通孔に後面側から通したボルト６５をナット体２７に螺合させることで、連結部材６３は、ナット体２７に後面側から連結されるとともに、リップ溝形材３１の外側フランジ部分３１Ｃに着脱自在に作用される。
【００３０】
なお隣接した外壁部パネル体２５の側縁間の隙間には、たとえばウレタン製のシール材６８が設けられ、また外壁部パネル体２５の上下間には、あらかじめガスケット６９が介在されている。そして棚６の支柱９とリップ溝形材３１とは、適宜の連結手段によって連結されている。
【００３１】
前記下端部パネル体４０は、平板状のストレートパネル４１と横断面でＬ字状のコーナーパネル４５とにより構成される。ここでストレートパネル４１には、横方向の中空部４２が上下の複数箇所に形成されるとともに、後面側の所定の箇所には、被係止体４３が連結具４４を介して固定されている。またコーナーパネル４５には、上下方向の中空部４６が両辺部に一箇所ずつ形成され、さらに前記ストレートパネル４１の遊端に対向する両端部には上下方向の凹溝４７が形成されている。
【００３２】
前記コーナーパネル４５を構造物側に固定させるための結合部材５０が設けられる。この結合部材５０は、矩形状の本体部（中央部分）５１と、この本体部５１の両側縁から外方かつ前方へ伸びる側部５２と、これら側部５２の遊縁から内方かつ前方へ伸びかつ前記凹溝４７に係合自在な係止部５３と、前記本体部５１の下縁から直角状で後方へ伸びる連結部５４とからなり、全体がたとえば板体の折り曲げにより成形される。そして本体部５１には貫通孔が形成され、この貫通孔に連通されるナット５５が本体部５１の前面側に固定されている。
【００３３】
さらに連結部５４の二箇所（一箇所または二箇所以上）には貫通孔が形成され、これら貫通孔を、前記連結材３４のコーナー部分に形成された貫通孔に合致させたのち、たとえばボルトナットからなる連結具５６を作用させることで、結合部材５０は、囲壁用枠体３０側に着脱自在に連結される。そして前記結合部材５０のナット５５に外側から螺合して貫通されるボルト５７が設けられ、このボルト５７の遊端は、前記コーナーパネル４５の内側コーナー部４５Ａに当接自在に構成されている。
【００３４】
なお図１に示すように、最下段の外壁部パネル体２５の下面と下端部パネル体４０の上面との接続部分において、その内側にはリップ溝形材３１側に固定されたレール材７０が設けられ、このレール材７０から前方へ連設された鋼板７１やベロ板７２が接続部分を通っている。そして外壁２５の下端と鋼板７１の上面との間にシール材７３が設けられ、また下端部パネル体４０の上端と鋼板７１やベロ板７２との間にもシール材７４が設けられる。さらに下端部パネル体４０の下面側にもシール材７５が設けられる。
【００３５】
以下に、上記した第一の実施の形態における作用を説明する。
基礎部２上に、棚６や囲壁用枠体３０が組み立てられ、そして両棚６における支柱９の上端間に屋根体２１が配設される。このような作業後または作業中に、囲壁用枠体３０の外面側に外壁部パネル体２５や下端部パネル体４０が取り付けられる。
【００３６】
すなわち外壁部パネル体２５の取り付けは、まず左右のリップ溝形材３１の外面間に配設した外壁部パネル体２５の下方に受け部材６１の他辺を位置させ、一辺の貫通孔をブラケット３３の貫通孔に合致させた状態で、両貫通孔間に固定具６２を作用させ、以て受け部材６１をブラケット３３に固定させる。次いで連結部材６３の係合部６４を前記リップ溝形材３１の外側フランジ部３１Ｃに内側から係合させて、その他辺の貫通孔を、前記外壁部パネル体２５のナット体２７に合致させ、そして、この貫通孔に通したボルト６５をナット体２７に螺合させる。
【００３７】
これにより外壁部パネル体２５のそれぞれを、固定用装置６０を介して囲壁用枠体３０側に固定し得る。なお、固定用装置６０による固定作業などは、囲壁用枠体３０や棚６などを足場として外壁部パネル体２５群の後面側から行われる。
【００３８】
前記下端部パネル体４０におけるストレートパネル４１の取り付けを行うに、まず隣接したリップ溝形材３１の外面間やレール材７０の外面にストレートパネル４１が外側から当てがわれる。そしてストレートパネル４１の内側から係止体３７に亘って被係止体４３が当てがわれたのち、この被係止体４３を、連結具４４を介してストレートパネル４１の内側に固定させることで、ストレートパネル４１を囲壁用枠体３０側に取り付け得る。
【００３９】
次いで、前記下端部パネル体４０におけるコーナーパネル４５の取り付けが行われる。すなわちボルト５７を緩め操作している結合部材５０の係止部５３を、凹溝４７に対して上方から係止させたのち、ナット５５に対してボルト５７のねじ込みを行って、コーナーパネル４５から結合部材５０がずれない程度に仮締めを行う。
【００４０】
次にコーナーパネル４５をコーナー部分に外側から建込み（嵌め込み）、ナット５５に対してボルト５７のねじ込みを行う。すると、ボルト５７の遊端がナット５５に対して次第に突出し、そしてコーナーパネル４５の内側コーナー部４５Ａに当接される。これによりコーナーパネル４５は、ねじ込み力によって結合部材５０から離れる方向に移動され、以て凹溝４７の部分に係止部５３が強く係止されることになる。そして結合部材５０の連結部５４を連結材３４に上方から載置させたのち、これら連結部５４と連結材３４との間に連結具５６を作用させて仮固定を行う。
【００４１】
この状態で、コーナーパネル４５の出入り調整を行ったのち、連結具５６を作用させて結合部材５０を連結材３４側に強く固定させることで、コーナーパネル４５を、結合部材５０などを介して囲壁用枠体３０側に強固に固定し得る。ここでコーナーパネル４５とその両側のストレートパネル４１のレベルが合わない場合は、ボルト５７の螺合操作により容易にレベルの微調整を行うことができる。
【００４２】
上述では、コーナーパネル４５を、ストレートパネル４１の取付け後に囲壁用枠体３０側に取付けているが、この手順は逆にしてもよい。
なお、それぞれ囲壁用枠体３０側に固定されたストレートパネル４１とコーナーパネル４５との相対向した端面間には、シール材７６が埋め込み状に設けられる。また外壁部パネル体２５の下面と鋼板７１の上面との間にシール材７３が、そして下端部パネル体４０の上面と鋼板７１やベロ板７２との間にシール材７４が、それぞれ埋め込み状に設けられる。
【００４３】
図８、図９は本発明の第二の実施の形態を示す。すなわち、一般建築にも使用できることを示すもので、鉄骨躯体を形成する四角パイプ状の支柱（構造物）８０の隣接した二面には、それぞれ支持材８１が溶接により固定されている。結合部材５０の連結部５４は二又状であって、それぞれが支持材８１に載置され、そして連結具５６により固定される。
【００４４】
上述した第一の実施の形態と第二の実施の形態とは、結合部材５０として、その本体部（中央部分）５１が扁平状でコーナーパネル４５の内面とにより三角形状を形成する形式を採用しており、この形式によると、連結材３４や支柱８０とコーナーパネル４５の内面との間にクリアランスが充分にある場合に好適に採用し得る。
【００４５】
そしてクリアランスが充分にないときには、図１０、図１１で示す第三の実施の形態が採用される。すなわち、結合部材５０の本体部（中央部分）５１が、コーナーパネル４５の内面に沿った形状に折り曲げ形成されている。これにより、コーナーパネル４５の内面と本体部５１と支柱８０の外面とが、全て平面視でＬ字状に形成され、以てクリアランスが充分にないときでも所期の配置を行える。
【００４６】
図１２、図１３は本発明の第四の実施の形態を示す。すなわち、結合部材５０の下縁からは、直角状でコーナーパネル４５側に伸びる受け部８５が折り曲げ状に連設され、この受け部８５に対してコーナーパネル４５が載置自在に構成される。そして結合部材５０の上縁からは、直角状で支柱８０側に伸びる連結部５４が折り曲げ状に連設されている。
【００４７】
この第四の実施の形態によると、コーナーパネル４５側の自重を、受け部８５を介して結合部材５０側で支持し得、さらに結合部材５０を介して支柱８０側で支持し得ることになる。なお受け部８５は、結合部材５０の中間部や下部に溶接などにより連設してもよく、さらに結合部材５０は、ボルトナットなどを介して支柱８４側に固定させてもよい。
【００４８】
上記の各実施の形態では、結合部材５０が外壁用枠体３０や支柱８０側に対して着脱自在に構成されているが、これは結合部材５０が、たとえば外壁用枠体３０や支柱８０側に予め固定された構成であってもよい。なおコーナーパネル４５は中空部４６が一箇所の形状であってもよい。
【００４９】
上記の各実施の形態では、構造物として囲壁用枠体３０や支柱８０を示したが、これはＨ形鋼や、Ｈ形鋼の一面開放部に板体を一体化させて形成した支柱などであってもよい。
【００５０】
上記の各実施の形態において、ボルト５７には必要に応じて周り止めボルトが螺合されるものである。
【００５１】
【発明の効果】
上記した本発明の請求項１によると、結合部材の係止部を凹溝に対して係止させ、そしてボルトの螺合操作を行うことで、コーナーパネルを、結合部材を介して構造物側に強固に固定できる。これにより孔明け作業を不要にできて、コーナーパネルは強度上で問題なく容易に精度よく取付けできる。
【００５２】
また上記した本発明の請求項２によると、結合部材の連結部を構造物側に着脱自在としたことで、コーナーパネルの取付けを、容易に迅速にかつ精度よく行うことができる。
【００５３】
そして上記した本発明の請求項３によると、クリアランスが充分にあるときの取付け構造を容易にかつ安価に提供できる。
さらに上記した本発明の請求項４によると、コーナーパネルと構造物との間のクリアランスが充分にないときでも、所期の取付けを容易に確実に行うことができる。
【００５４】
しかも上記した本発明の請求項５によると、コーナーパネル側の自重を、受け部を介して結合部材側で支持できるとともに、結合部材を介して構造物側で支持でき、以てコーナーパネルの取付けを安定して行うことができる。
【図面の簡単な説明】
【図１】本発明の実施の形態の一例を示し、コーナーパネルの取付け構造における取付け状態での斜視図である。
【図２】同コーナーパネルの取付け構造における取付け状態での縦断面図である。
【図３】同コーナーパネルの取付け構造における取付け状態での拡大縦断面図である。
【図４】同コーナーパネルの取付け構造における取付け状態での平面図である。
【図５】同建物の囲壁構造における外壁接合部の斜視図である。
【図６】同コーナーパネルの取付け構造を採用した構築物の縦断正面図である。
【図７】同コーナーパネルの取付け構造を採用した構築物の横断平面図である。
【図８】本発明の第二の実施の形態を示し、コーナーパネルの取付け構造における結合部材の斜視図である。
【図９】同コーナーパネルの取付け構造における取付け状態での平面図である。
【図１０】本発明の第三の実施の形態を示し、コーナーパネルの取付け構造における結合部材の斜視図である。
【図１１】同コーナーパネルの取付け構造における取付け状態での平面図である。
【図１２】本発明の第四の実施の形態を示し、コーナーパネルの取付け構造における結合部材の斜視図である。
【図１３】同コーナーパネルの取付け構造における取付け状態での平面図である。
【図１４】従来例を示し、コーナーパネルの取付け構造における取付け状態での平面図である。
【符号の説明】
１      自動倉庫設備
２      基礎部（床側）
５      自動倉庫
６      棚
１０      出し入れ装置
２０      建物
２１      屋根体
２２      囲壁体
２５      外壁部パネル体
３０      囲壁用枠体（構造物）
３１      リップ溝形材
３４      連結材
３７      係止体
４０      下端部パネル体
４１      ストレートパネル
４３      被係止体
４５      コーナーパネル
４５Ａ    内側コーナー部
４７      凹溝
５０      結合部材
５１      本体部（中央部分）
５３      係止部
５４      連結部
５５      ナット
５６      連結具
５７      ボルト
６０      固定用装置
８０      支柱（構造物）
８１      支持材
８５      受け部
【図１】
0003620106.tif 000002
【図２】
0003620106.tif 000003
【図３】
0003620106.tif 000004
【図４】
0003620106.tif 000005
【図５】
0003620106.tif 000006
【図６】
0003620106.tif 000007
【図７】
0003620106.tif 000008
【図８】
0003620106.tif 000009
【図９】
0003620106.tif 000010
【図１０】
0003620106.tif 000011
【図１１】
0003620106.tif 000012
【図１２】
0003620106.tif 000013
【図１３】
0003620106.tif 000014
【図１４】
0003620106.tif 000015